(57)【要約】【課題】記憶媒体の使用に係る利便性を向上すること。【解決手段】台間カード処理機１０は、遊技客の任意でカードロック暗証番号を設定し、カードの返却時にカードロック暗証番号の入力を求めるカードロック機能を有する。また、内部カードにカードロック暗証番号が設定された状態で、遊技客が新たなカードを追加カードとして挿入すると、台間カード処理機１０は、暗証番号の入力を求める。遊技客が暗証番号を入力し、入力された暗証番号が設定されたカードロック暗証番号と一致したならば、台間カード処理機１０は、追加カードを受け付けてカードの価値を合算する。入力された暗証番号が設定されたカードロック暗証番号と一致しなければ、合算を行わずに追加カードを返却する。【選択図】図１
2019063319.tif 000002
【特許請求の範囲】
【請求項１】
遊技媒体を用いた遊技を行う遊技機に併設され、前記遊技媒体に係る処理を行う各台装置であって、
前記遊技媒体の貸与に使用可能な価値が関連付けられた記憶媒体を受け付ける記憶媒体受付手段と、
前記記憶媒体に対する制限を設定する制限設定手段と、
前記記憶媒体受付手段により第１の記憶媒体が受け付けられた後に第２の記憶媒体が受け付けられる場合に、前記第１の記憶媒体に関連付けられた価値と前記第２の記憶媒体に関連付けられた価値を統合する統合処理を行う統合処理手段と、
前記第１の記憶媒体の使用に対して前記制限設定手段が制限を設定した状態で前記統合処理を行う場合には、前記制限設定手段による制限が設定されていない状態とは異なる所定の入力を受け付けた場合に、統合処理を許容する統合処理許容手段と
を備えたことを特徴とする各台装置。
【請求項２】
所定の遊技客による操作に基づいて、遊技客を認証するための認証情報を取得する認証情報取得手段をさらに備え、
前記制限設定手段は、前記認証情報取得手段にて取得した認証情報に基づいて記憶媒体の使用を制限し、
前記統合処理許容手段は、前記認証情報を認証するための入力があり、認証が成功した場合に、統合処理を許容する
ことを特徴とする請求項１に記載の各台装置。
【請求項３】
前記統合処理許容手段は、統合処理を許容する場合に、前記第１の記憶媒体に関連付けられていた価値を前記第２の記憶媒体に関連付けられた価値に移行させ、前記記憶媒体受付手段により前記第２の記憶媒体が受け付けられた状態とすることを特徴とする請求項１又は２に記載の各台装置。
【請求項４】
前記統合処理許容手段は、前記第１の記憶媒体に関して第１の認証情報が設定され、前記第２の記憶媒体に関して第２の認証情報が設定されている場合に、前記第１の認証情報及び前記第２の認証情報の認証が行われたことを条件に統合処理を許容することを特徴とする請求項２又は３に記載の各台装置。
【請求項５】
前記統合処理許容手段は、第１の認証情報及び第２の認証情報の認証を行う場合に、認証の対象となる認証情報を特定可能な情報の出力を行う認証対象情報出力手段をさらに備えたことを特徴とする請求項４に記載の各台装置。
【請求項６】
前記統合処理許容手段は、統合処理を許容する場合に、前記第１の記憶媒体に関して設定された認証情報を前記第２の記憶媒体に関して設定された認証情報とする認証情報移行手段をさらに備えたことを特徴とする請求項３に記載の各台装置。
【請求項７】
遊技媒体を用いた遊技を行う遊技機に併設されて前記遊技媒体に係る処理を行う各台装置と、前記遊技媒体の払出に使用可能な価値を記憶媒体の識別情報に関連付けて記憶する管理装置とを有する遊技管理システムであって、
前記記憶媒体に対する制限を設定する制限設定手段と、
前記各台装置により第１の記憶媒体が受け付けられた後に第２の記憶媒体が受け付けられる場合に、前記第１の記憶媒体に関連付けられた価値と前記第２の記憶媒体に関連付けられた価値を統合する統合処理を行う統合処理手段と、
前記第１の記憶媒体の使用に対して前記制限設定手段が制限を設定した状態で前記統合処理を行う場合には、前記制限設定手段による制限が設定されていない状態とは異なる所定の入力を受け付けた場合に、統合処理を許容する統合処理許容手段と
を備えたことを特徴とする遊技管理システム。
【請求項８】
遊技媒体を用いた遊技を行う遊技機に併設され、前記遊技媒体に係る処理を行う各台装置による遊技管理方法であって、
前記遊技媒体の貸与に使用可能な価値が関連付けられた記憶媒体を受け付ける記憶媒体受付ステップと、
前記記憶媒体に対する制限を設定する制限設定ステップと、
前記記憶媒体受付ステップにより第１の記憶媒体が受け付けられた後に第２の記憶媒体が受け付けられる場合に、前記第１の記憶媒体に関連付けられた価値と前記第２の記憶媒体に関連付けられた価値を統合する統合処理を行う統合処理ステップと、
前記第１の記憶媒体の使用に対して前記制限設定ステップが制限を設定した状態で前記統合処理を行う場合には、前記制限設定ステップによる制限が設定されていない状態とは異なる所定の入力を受け付けた場合に、統合処理を許容する統合処理許容ステップと
を含んだことを特徴とする遊技管理方法。
【発明の詳細な説明】
【技術分野】
【０００１】
この発明は、遊技媒体を用いた遊技を行う遊技機に併設されて遊技媒体に係る処理を行う各台装置、各台装置を有する遊技管理システム及び遊技管理方法に関する。
【背景技術】
【０００２】
従来、遊技店では、遊技媒体を介在させた遊技を提供している。例えば、パチンコ遊技では、遊技玉を遊技媒体として用い、遊技玉を遊技盤面に打ち込んで遊技を行う。遊技盤面には、複数の入賞領域（入賞口）が設けられており、当該入賞領域を遊技玉が通過したことに基づいて所定個数の遊技玉を賞玉として付与するようになっている。このように、遊技の結果によって遊技媒体の数が増減し、遊技客は獲得した遊技媒体を賞品と交換することができる。
【０００３】
遊技機には、各台装置が併設されることが一般的である。各台装置は、入金を受け付けて遊技媒体の貸出処理を行う。加えて、各台装置は、遊技により獲得された遊技媒体の数を持遊技媒体数として管理し、持遊技媒体数を減算して遊技媒体を払い出す再プレイ処理を行う（例えば特許文献１参照。）。
【０００４】
また、遊技客が遊技を終了する際に、遊技機に設けられた返却ボタンを操作すると、各台装置は、自装置で管理している持遊技媒体数をカードに関連付けたうえで排出する。遊技客は、このカードを賞品カウンタで提示することにより、関連付けられた持遊技媒体数に応じた賞品と交換することができる。また、カードには遊技媒体の貸出に使用可能な有価価値も関連付けられる。遊技終了時に残った有価価値の残高は、精算機にて精算することができる。
【０００５】
このように、カードには持遊技媒体数や有価価値を関連付けることができるため、他の遊技客による不正なカードの取り出しを防止することが求められる。そこで、例えば、特許文献２は、遊技客の任意でカードに対してパスワードによる返却制限をかけ、パスワードが合致したことを条件にカードを返却する技術を開示している。
【先行技術文献】
【特許文献】
【０００６】
【特許文献１】特開２０１１−１３１０３７号公報
【特許文献２】特開２０１０−００５２０７号公報
【発明の概要】
【発明が解決しようとする課題】
【０００７】
しかしながら、従来の技術は、遊技客がカードを単独で使用することを想定しており、利便性が不十分であるという問題点があった。例えば、遊技客が遊技店に会員登録すると、会員遊技客となって会員カードが発行されるが、会員カードを使用せずに遊技を開始した場合には、持遊技媒体数や有価価値は一般カードに関連付けられる。この場合には、遊技客は、会員登録の有無に関わらず使用可能な一般カードと、会員カードの２枚を所持している状態となる。かかる状態の後、一般カードに関連付けられた持遊技媒体数や有価価値を会員カードに移したいとの要望があるが、従来の技術ではこのような状況に対応することができなかったのである。
【０００８】
これらのことから、カードの不正な使用の制限と、複数のカードの取扱の双方に対応し、カードの使用に係る利便性を向上することが重要な課題となっていた。なお、カードに持遊技媒体数や有価価値を関連付ける場合に限らず、他の記憶媒体に持遊技媒体数や有価価値を関連付ける場合であっても同様の課題が生ずる。
【０００９】
本発明は、上述した課題を解決するためになされたものであって、記憶媒体の使用に係る利便性を向上することのできる各台装置、遊技管理システム及び遊技管理方法を提供することを目的とする。
【課題を解決するための手段】
【００１０】
上述した課題を解決し、目的を達成するため、本発明は、遊技媒体を用いた遊技を行う遊技機に併設され、前記遊技媒体に係る処理を行う各台装置であって、前記遊技媒体の貸与に使用可能な価値が関連付けられた記憶媒体を受け付ける記憶媒体受付手段と、前記記憶媒体に対する制限を設定する制限設定手段と、前記記憶媒体受付手段により第１の記憶媒体が受け付けられた後に第２の記憶媒体が受け付けられる場合に、前記第１の記憶媒体に関連付けられた価値と前記第２の記憶媒体に関連付けられた価値を統合する統合処理を行う統合処理手段と、前記第１の記憶媒体の使用に対して前記制限設定手段が制限を設定した状態で前記統合処理を行う場合には、前記制限設定手段による制限が設定されていない状態とは異なる所定の入力を受け付けた場合に、統合処理を許容する統合処理許容手段とを備えたことを特徴とする。
【００１１】
また、本発明は、上記発明において、所定の遊技客による操作に基づいて、遊技客を認証するための認証情報を取得する認証情報取得手段をさらに備え、前記制限設定手段は、前記認証情報取得手段にて取得した認証情報に基づいて記憶媒体の使用を制限し、前記統合処理許容手段は、前記認証情報を認証するための入力があり、認証が成功した場合に、統合処理を許容することを特徴とする。
【００１２】
また、本発明は、上記発明において、前記統合処理許容手段は、統合処理を許容する場合に、前記第１の記憶媒体に関連付けられていた価値を前記第２の記憶媒体に関連付けられた価値に移行させ、前記記憶媒体受付手段により前記第２の記憶媒体が受け付けられた状態とすることを特徴とする。
【００１３】
また、本発明は、上記発明において、前記統合処理許容手段は、前記第１の記憶媒体に関して第１の認証情報が設定され、前記第２の記憶媒体に関して第２の認証情報が設定されている場合に、前記第１の認証情報及び前記第２の認証情報の認証が行われたことを条件に統合処理を許容することを特徴とする。
【００１４】
また、本発明は、上記発明において、前記統合処理許容手段は、第１の認証情報及び第２の認証情報の認証を行う場合に、認証の対象となる認証情報を特定可能な情報の出力を行う認証対象情報出力手段をさらに備えたことを特徴とする。
【００１５】
また、本発明は、上記発明において、前記統合処理許容手段は、統合処理を許容する場合に、前記第１の記憶媒体に関して設定された認証情報を前記第２の記憶媒体に関して設定された認証情報とする認証情報移行手段をさらに備えたことを特徴とする。
【００１６】
また、本発明は、遊技媒体を用いた遊技を行う遊技機に併設されて前記遊技媒体に係る処理を行う各台装置と、前記遊技媒体の払出に使用可能な価値を記憶媒体の識別情報に関連付けて記憶する管理装置とを有する遊技管理システムであって、前記記憶媒体に対する制限を設定する制限設定手段と、前記各台装置により第１の記憶媒体が受け付けられた後に第２の記憶媒体が受け付けられる場合に、前記第１の記憶媒体に関連付けられた価値と前記第２の記憶媒体に関連付けられた価値を統合する統合処理を行う統合処理手段と、前記第１の記憶媒体の使用に対して前記制限設定手段が制限を設定した状態で前記統合処理を行う場合には、前記制限設定手段による制限が設定されていない状態とは異なる所定の入力を受け付けた場合に、統合処理を許容する統合処理許容手段とを備えたことを特徴とする。
【００１７】
また、本発明は、遊技媒体を用いた遊技を行う遊技機に併設され、前記遊技媒体に係る処理を行う各台装置による遊技管理方法であって、前記遊技媒体の貸与に使用可能な価値が関連付けられた記憶媒体を受け付ける記憶媒体受付ステップと、前記記憶媒体に対する制限を設定する制限設定ステップと、前記記憶媒体受付ステップにより第１の記憶媒体が受け付けられた後に第２の記憶媒体が受け付けられる場合に、前記第１の記憶媒体に関連付けられた価値と前記第２の記憶媒体に関連付けられた価値を統合する統合処理を行う統合処理ステップと、前記第１の記憶媒体の使用に対して前記制限設定ステップが制限を設定した状態で前記統合処理を行う場合には、前記制限設定ステップによる制限が設定されていない状態とは異なる所定の入力を受け付けた場合に、統合処理を許容する統合処理許容ステップとを含んだことを特徴とする。
【発明の効果】
【００１８】
本発明によれば、記憶媒体の使用に係る利便性を向上することができる。
【図面の簡単な説明】
【００１９】
【図１】図１は、本実施例１に係る各台装置の概念の説明図である。
【図２】図２は、遊技店のシステム構成を示す図である。
【図３】図３は、台間カード処理機の外観を示す図である。
【図４】図４は、台間カード処理機の構成を示す機能ブロック図である。
【図５】図５は、台間カード処理機の記憶部に記憶されるデータの一例を説明するための説明図である。
【図６】図６は、追加カードの挿入時の処理手順を示すフローチャートである。
【図７】図７は、追加カードの挿入時における表示の具体例についての説明図である。
【図８】図８は、内部カードの情報を表示した上で追加カードの挿入を求める場合の処理手順を示すフローチャートである。
【図９】図９は、カードロック暗証番号の管理についての説明図である。
【図１０】図１０は、カード管理装置がカードロック暗証番号を管理する構成の説明図である。
【図１１】図１１は、カードロック暗証番号をカード自体に格納可能な構成についての説明図である。
【図１２】図１２は、追加カードにカードロック暗証番号が設定されている場合の処理についての説明図である。
【図１３】図１３は、暗証番号の設定画面についての説明図である。
【図１４】図１４は、封入式の遊技機と台間カード処理機の外観を示す図である。
【図１５】図１５は、図１４に示した台間カード処理機及び遊技機の構成を示す機能ブロック図である。
【図１６】図１６は、本実施例２に係る合算の処理手順を説明するためのフローチャートである。
【発明を実施するための形態】
【００２０】
以下に、添付図面を参照して、本発明に係る各台装置、遊技管理システム及び遊技管理方法の好適な実施例を詳細に説明する。
【００２１】
本明細書中にあって持玉とは、遊技客が遊技において獲得した遊技媒体又は当該遊技媒体数を示すデータであって、その当日中（閉店より前の時間）のみ遊技に再度供することができるものを言う。貯玉とは、遊技客が遊技において獲得した遊技媒体又は当該遊技媒体数を示すデータであって、翌日以降（閉店より後の時間）も遊技に再度供することができるものを言う。持玉は、一般遊技客および会員遊技客の双方が使用可能であり、遊技に用いる遊技機の変更（いわゆる台移動）を行った場合などに使用する。貯玉は通常、会員遊技客のみが使用可能であり、獲得した遊技媒体を翌日以降の遊技に用いる場合に使用する。貯玉の使用には所定の手数料を課すこととしてもよい。
【実施例１】
【００２２】
まず、本実施例１に係る各台装置の概念について説明する。図１は、本実施例１に係る各台装置の概念の説明図である。遊技店には複数の遊技機２０が設置されており、各遊技機２０には各台装置である台間カード処理機１０が併設される。
【００２３】
台間カード処理機１０は、遊技客の操作に基づいて、遊技玉の貸出処理、持玉や貯玉の再プレイ処理、獲得した遊技玉を計数して持玉に加算する計数処理などの遊技玉に係る各種処理を行う。また、遊技客が遊技を終了する際に、遊技機に設けられた返却ボタンを操作すると、台間カード処理機１０は、自装置が管理する持玉数をカードに関連付けたうえで排出する。
【００２４】
さらに、台間カード処理機１０は、遊技客の任意で暗証番号を設定し、カードの返却時に暗証番号の入力を求めるカードロック機能を有する。図１（ａ）では、台間カード処理機１０は、カードＩＤ「１００１」である一般カードを内部カードとして受け付けた状態であり、カードＩＤ「１００１」にプリペイド価値「２０００」及び持玉「３７５」を関連付けている。また、カードＩＤ「１００１」であるカードに対してカードロックを設定し、カードロックを解除するための暗証番号であるカードロック暗証番号として「１２３４」を記憶している。
【００２５】
このように内部カードにカードロック暗証番号が設定された状態で、遊技客が新たなカードを追加カードとして挿入すると、台間カード処理機１０は、暗証番号の入力を求める。具体的には、図１（ａ）に示したように、カードＩＤ「１００２」、プリペイド価値「１０００」及び持玉「５００」の一般カードが追加カードとして挿入されると、台間カード処理機１０は、図１（ｂ）に示すように、表示操作部に「暗証番号を入力して下さい」とのメッセージを表示する。
【００２６】
遊技客が暗証番号を入力し、入力された暗証番号が設定されたカードロック暗証番号と一致したならば、台間カード処理機１０は、図１（ｃ）に示すように、追加カードを受け付けてカードの価値を合算する。この合算は、内部カードのプリペイド価値及び持玉を追加カードのプリペイド価値及び持玉に加算し、それまでの内部カードを取り込み、追加カードを新たな内部カードとすることで行われる。なお、入力された暗証番号が設定されたカードロック暗証番号と一致しなければ、合算を行わずに追加カードを返却する。
【００２７】
このように、台間カード処理機１０は、内部カードにカードロック暗証番号を設定して返却を制限した状態で追加カードを挿入されたならば、カードロック暗証番号の入力を条件として追加カードを受け付けてカードの価値を合算する。このため、カードの不正な使用の制限と、複数のカードの取扱の双方に対応し、カードの使用に係る利便性を向上することができる。
【００２８】
次に、遊技店のシステム構成について説明する。図２は、遊技店のシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、賞品管理装置６０と、精算機８０とが接続される。
【００２９】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技盤面には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。始動口への玉の通過による抽選の結果は、抽選の結果を表示する特別図柄表示装置にて表示される。この特別図柄表示装置の抽選結果の表示は、所定時間の変動表示後、確定表示を行う態様で行なわれる。また、遊技盤面には、抽選の結果に基づいて所定の数字等の装飾図柄を可変表示する装飾図柄表示装置が設けられており、抽選の結果が大当りとなった場合に、例えば（７，７，７）などの揃い図柄を表示して報知を行なう。なお、始動領域と入賞領域を兼ねた領域を設けることもできる。
【００３０】
上記入賞領域には、当該入賞領域への遊技玉の通過を検出するための入賞センサが設けられており、この入賞センサにより入賞領域へ打ち込まれた遊技玉の通過（入賞）を検知するようになっている。また、遊技機２０の制御部は、入賞領域ごとに賞玉として付与する遊技玉の個数を記憶する賞玉メモリを有している。
【００３１】
したがって、打ち込んだ遊技玉の特定の入賞領域への通過が入賞センサにより検知されると、遊技機２０は、賞玉メモリの記憶内容と、入賞領域を通過した遊技玉数とから、付与すべき賞玉数を決定し、決定した賞玉数の払出処理を行うことができる。また、打ち込んだ遊技玉は、入賞領域を通過したか否かにかかわらず、最終的に遊技盤面裏側から遊技機外部に排出される。遊技機外部に排出された遊技玉は、遊技機ごとに付設されたアウト玉検出装置によって検出されるようになっている。
【００３２】
台間カード処理機１０は、入金の受付、遊技玉の貸し出し、カード管理装置４０との通信を行う。台間カード処理機１０は、遊技客により投入された紙幣を受け付けたならば、この紙幣の金額を含む入金通知データをカード管理装置４０に送信し、カード管理装置４０が管理するプリペイド価値に金額に応じた数を加算させる。そして、所定の玉貸操作がなされたならば、玉貸要求をカード管理装置４０に送信し、カード管理装置４０が管理するプリペイド価値を減算させて、減算されたプリペイド価値に対応する数の遊技玉の払出処理を行う。
【００３３】
また、台間カード処理機１０は、カードの挿入を受け付けたならば、カード管理装置４０にカード挿入通知データを送信する。また、台間カード処理機１０は、カード管理装置４０からプリペイド価値、持玉数、貯玉数を含むデータを受信したならば、受信したプリペイド価値、持玉数、貯玉数を記憶する。そして、持玉数を記憶したならば、台間カード処理機１０は、カード管理装置４０に対して持玉減算要求データを送信することで、カード管理装置４０が管理する持玉数をゼロにクリアする。
【００３４】
また、台間カード処理機１０は、持玉再プレイ操作を受け付けると、自装置に記憶した持玉数から所定数を減算し、減算した持玉数に対応する数の遊技玉の払出処理を行う。また、台間カード処理機１０は、貯玉再プレイ操作を受け付けると、カード管理装置４０に対して貯玉再プレイ要求データを送信することで、会員管理装置５０が管理する貯玉数から所定数を減算させ、減算させた貯玉数に対応する数の遊技玉の払出処理を行う。
【００３５】
また、台間カード処理機１０は、カード返却操作を受け付けたならば、自装置が管理する持玉数を含む持玉加算要求データをカード管理装置４０に送信し、カード管理装置４０に持玉数を加算させた後、カード排出通知データをカード管理装置４０に送信し、カードを排出制御する。
【００３６】
島コントローラ３０は、遊技島に設けられた一群の遊技機２０及び台間カード処理機１０を束ねる中継装置である。
【００３７】
カード管理装置４０は、カードのプリペイド価値及び持玉数等をカードデータとして管理する装置である。カード管理装置４０は、台間カード処理機１０からカード挿入通知データを受信したならば、挿入されたカードのカードＩＤと台間カード処理機１０の装置ＩＤとを関連づけて管理し、該カードＩＤに関連づけられたプリペイド価値及び持玉数を台間カード処理機１０に送信する。また、カード挿入通知データに示されたカードＩＤが会員カードのカードＩＤである場合には、カード管理装置４０は、カード挿入通知データを会員管理装置５０に送信し、会員管理装置５０から受信した貯玉再プレイデータを台間カード処理機１０に送信する。
【００３８】
また、カード管理装置４０は、台間カード処理機１０から持玉減算要求データを受信した場合には、持玉数をゼロクリアする。また、カード管理装置４０は、台間カード処理機１０から持玉加算要求データを受信した場合には、持玉加算要求データに含まれる持玉数をカード管理装置４０が管理する持玉数に加算する。
【００３９】
また、カード管理装置４０は、台間カード処理機１０から玉貸要求データを受信したならば、カードＩＤに関連付けられたプリペイド価値を所定値減算し、玉貸許可データを台間カード処理機１０に送信する。そして、貯玉再プレイ要求データを受信したならば、該貯玉再プレイ要求データを会員管理装置５０に送信し、会員管理装置５０が貯玉再プレイデータを出力したならば、貯玉再プレイデータを台間カード処理機１０に送信する。
【００４０】
また、カード管理装置４０は、賞品管理装置６０からカードＩＤを受信したならば、このカードＩＤに関連付けられた持玉数を賞品管理装置６０に対して通知する。さらに、精算機８０からカードＩＤを受信したならば、このカードＩＤに関連付けられたプリペイド価値を精算機８０に対して通知する。
【００４１】
会員管理装置５０は、遊技店に会員登録された会員の会員管理データを管理する管理装置である。具体的には、会員に対して発行した会員カードＩＤに関連付けて、貯玉数、ポイント数、暗証番号及び氏名等を管理する。
【００４２】
会員管理装置５０は、台間カード処理機１０からカード挿入通知データを受信したならば、カード挿入通知データに示されたカードＩＤに関連付けられた貯玉数及び暗証番号を含む貯玉再プレイデータを台間カード処理機１０に送信する。また、会員管理装置５０は、台間カード処理機１０から貯玉再プレイ要求データを受信したならば、貯玉再プレイ要求データに示されたカードＩＤに関連づけられた貯玉数から所定数を減算し、減算後の貯玉数を含む貯玉再プレイデータを台間カード処理機１０に送信する。なお、台間カード処理機１０と会員管理装置５０との通信は、カード管理装置４０を介して行なわれる。
【００４３】
また、会員管理装置５０は、賞品管理装置６０から貯玉数の問い合わせを受けたならば、指定されたカードＩＤに対応する貯玉数を賞品管理装置６０に通知する。
【００４４】
賞品管理装置６０は、遊技店内の賞品交換カウンタに併設された賞品交換用の端末装置であり獲得玉、貯玉数及び持玉数を賞品に交換する賞品交換処理を行う。この賞品管理装置６０には、カードからカードＩＤを読み取るカードリーダ及び賞品を払い出す賞品払出装置が接続されている。賞品管理装置６０は、一般カード又会員カードからカードＩＤを読み出した場合（若しくは、携帯端末等からカードＩＤに対応する識別データを読み出した場合）には、カードＩＤをカード管理装置４０に送信して、該カードＩＤの持玉数を要求する。また、貯玉数を賞品交換する場合は、会員管理装置５０に対して貯玉数を要求する。
【００４５】
精算機８０は、プリペイド価値が関連付けられたカードが挿入されると、このカードのカードＩＤをカード管理装置４０に送信し、その応答データを受信することにより、カードに関連付けられたプリペイド価値を取得し、取得したプリペイド価値に応じて貨幣を払い出す。
【００４６】
次に、図２に示した遊技システムの玉貸処理について説明する。遊技客が台間カード処理機１０に対して玉貸操作を行うと、台間カード処理機１０は、カード管理装置４０に玉貸要求データを送信する。この玉貸要求データは、台間カード処理機１０に挿入されているカードのカードＩＤと、送信元である台間カード処理機１０を特定するアドレス若しくは任意の識別データを含む。
【００４７】
カード管理装置４０は、玉貸要求データを受信すると、玉貸要求データのカードＩＤに関連付けられたプリペイド価値から所定値を減算する。そして、カード管理装置４０は玉貸許可データを送信元の台間カード処理機１０に送信する。玉貸許可データを受信した台間カード処理機１０は、減算したプリペイド価値に対応する遊技玉数の払出処理を行う。
【００４８】
次に、図２に示した遊技システムで持玉の再プレイを行う場合の持玉再プレイ処理について説明する。台間カード処理機１０は、一般カードあるいは会員カードの挿入を受け付けたならば、カード管理装置４０にカード挿入通知データを送信する。このカード挿入通知データは、台間カード処理機１０に挿入されているカードのカードＩＤと、送信元である台間カード処理機１０を特定するアドレス若しくは任意の識別データと、台間カード処理機１０のレートを特定するためのデータとを含む。
【００４９】
カード管理装置４０は、台間カード処理機１０からカード挿入通知データを受信したならば、該カード挿入通知データ内のカードＩＤに関連付けられた各レートの持玉数を台間カード処理機１０に通知する。
【００５０】
台間カード処理機１０は、カード管理装置４０から受信した持玉数を記憶する。そして、カードＩＤ、レートを特定するデータ及び持玉数をゼロクリアする旨を示す持玉減算要求データをカード管理装置４０に送信する。カード管理装置４０は、持玉減算要求データを受信したならば、カードＩＤにより特定される各レートの持玉数をゼロクリアする。また、台間カード処理機１０は、持玉再プレイ操作を受け付けて持玉再プレイを行う場合には、記憶した持玉数から所定数を減算し、対応する遊技玉数の払出処理を行う。払出処理を行う場合、遊技機が払出可能な単位（例えば２５玉）の倍数については、遊技機に払出指示を送信することにより払出処理を行い、残り（例えば２５玉未満）については自機のノズルユニット１８ａから払い出すことにより払出処理を行う。
【００５１】
台間カード処理機１０は、カード返却操作を受け付けたならば、カード管理装置４０に対して持玉加算要求データを送信する。この持玉加算要求データは、カード返却の対象となるカードのカードＩＤと、送信元である台間カード処理機１０を特定するアドレス若しくは任意の識別データと、各レートの持玉数とを含む。
【００５２】
カード管理装置４０は、持玉加算要求データを受け付けたならば、カードＩＤに関連付けられた各レートの持玉数に持玉加算要求データに含まれる持玉数を加算する。その後、台間カード処理機１０は、カード管理装置４０にカード排出通知データを送信し、カードを排出制御する。
【００５３】
次に、図２に示した遊技システムでの貯玉再プレイ処理について説明する。台間カード処理機１０は、会員カード又は会員カードとして使用可能な携帯端末からカードＩＤを読み取ったならば、カード管理装置４０にカード挿入通知データを送信する。このカード挿入通知データは、台間カード処理機１０に挿入されているカードのカードＩＤと、送信元である台間カード処理機１０を特定するアドレス若しくは任意の識別データと、台間カード処理機１０のレートを特定するためのデータとを含む。
【００５４】
カード管理装置４０は、台間カード処理機１０から受信したカード挿入通知データを会員管理装置５０に送信する。会員管理装置５０は、カード挿入通知データを受信したならば、該カード挿入通知データ内のカードＩＤに関連付けられた暗証番号と、貯玉のうち、該カード挿入通知データにより特定されたレートの貯玉数と、貯玉再プレイの可能数を含む貯玉再プレイデータを台間カード処理機１０に送信する。貯玉再プレイの可能数は、貯玉再プレイを行うことのできる玉数を示す。この貯玉再プレイの可能数は、貯玉再プレイにおける遊技玉の払出単位数の倍数である。貯玉再プレイに上限が設定されていれば、貯玉数と上限の範囲内で最大の値が貯玉再プレイの可能数となる。なお、貯玉再プレイの可能数の代わりに貯玉再プレイが可能な回数を貯玉再プレイ度数として用いてもよい。貯玉再プレイ度数は、貯玉再プレイにおける遊技玉の払出単位数で貯玉数を除算した商にあたる。ただし、貯玉再プレイに上限が設定されている場合には、この上限により貯玉再プレイ度数は制限される。
【００５５】
台間カード処理機１０は、受信した貯玉再プレイデータを記憶し、貯玉再プレイデータに示された貯玉再プレイの可能数が１以上である場合には貯玉再プレイ操作を受け付け可能とする。
【００５６】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するか否かを判定する。
【００５７】
台間カード処理機１０は、暗証番号が一致した場合に、カード管理装置４０に貯玉再プレイ要求データを送信する。この貯玉再プレイ要求データは、台間カード処理機１０に挿入されているカードのカードＩＤと、送信元である台間カード処理機１０を特定するアドレス若しくは任意の識別データと、台間カード処理機１０のレートを特定するためのデータとを含む。
【００５８】
カード管理装置４０は、貯玉再プレイ要求データを会員管理装置５０に送信する。会員管理装置５０は、貯玉再プレイ要求データを受信したならば、該貯玉再プレイ要求データ内のカードＩＤに関連付けられた貯玉のうち、該電文により特定されたレートの貯玉の残高を所定値減算し、貯玉再プレイの可能数を再計算する。そして、減算後の残高と貯玉再プレイの可能数とを含む貯玉再プレイデータを台間カード処理機１０に送信する。
【００５９】
台間カード処理機１０は、記憶する貯玉数を更新し、貯玉再プレイの払出単位数分の遊技玉数の払出処理を行う。また、更新後の貯玉再プレイの可能数が１以上であるかを判定する。貯玉再プレイの可能数が０であれば、貯玉再プレイ操作を受付不可とする。更新後の貯玉再プレイの可能数が１以上であれば、再度貯玉再プレイ操作を受付可能とする。２回目以降の貯玉再プレイでは、暗証番号の確認は不要である。なお、暗証番号の確認を毎回行うようにしてもよい。また、ここでは会員管理装置５０が貯玉の残高を減算した後、台間カード処理機１０が遊技玉の払出処理を行う場合を例示したが、貯玉再プレイ要求に基づいて遊技玉の払出処理を行った後に、貯玉の残高を減算してもよい。貯玉再プレイ要求前の貯玉再プレイデータに、貯玉再プレイの可能数が示されており、貯玉再プレイ要求を受け付けた後に残高不足が判明する事態とはならないためである。
【００６０】
次に、閉店処理における持玉からの貯玉への移行について説明する。カード管理装置４０は、閉店処理時にカード管理データの持玉数を確認し、ゼロより大きい持玉数が関連付けられたレコードが存在する場合には、該レコードの持玉数をカードＩＤ及びレートとともに会員管理装置５０に通知する。会員管理装置５０は、カードＩＤ及びレートにより特定される貯玉数にカード管理装置４０から通知された持玉数を加算する。その後、カード管理装置４０は、該持玉数をゼロクリアする。
【００６１】
次に、図２に示した台間カード処理機１０の外観について説明する。図３は、台間カード処理機１０の外観を示す図である。なお、図３には、遊技機２０に接続された台間カード処理機１０の外観を台間カード処理機１０として示している。また、併設される遊技機２０は、破線で図示している。また、図３では、紙幣のみを受け付ける台間カード処理機１０を図示したが、携帯端末やカードに関連付けられた電子マネーや硬貨を受け付ける機能を有するユニットを設けることもできる。
【００６２】
図３に示すように台間カード処理機１０は、状態表示部１１、紙幣挿入口１２ａ、表示操作部１３、カード挿入口１４ａ、かざし部１４ｂ、ノズルユニット１８ａ及び計数ユニット１８ｂを有する。
【００６３】
状態表示部１１は、例えば多色ＬＥＤで構成され、台間カード処理機１０の装置の状態を所定色の点灯あるいは点滅で表示する。紙幣挿入口１２ａは、遊技玉の貸出に必要な各種紙幣の挿入口である。表示操作部１３は、例えばフルカラーのタッチパネル式の液晶ディスプレイ等で構成され、操作ボタンの表示や操作ボタンによる入力操作を受け付けるデバイスである。表示操作部１３は、図３では詳細な図示を省略しているが、対応する遊技機２０側の長辺が台間カード処理機１０に軸支されて付設された平板形状をなしており、台間カード処理機１０の前面パネルと表示操作部１３の表示面のなす角度を変更可能な構成となっている。
【００６４】
カード挿入口１４ａは、遊技客の所持するカードの挿入口である。かざし部１４ｂは、会員登録に用いられた携帯端末をかざす部位であり、かざし部１４ｂに携帯端末がかざされると、携帯端末から携帯端末の固有ＩＤ（例えばＩＤｍ）等のデータが読み取られる。ノズルユニット１８ａは、遊技玉を遊技機２０に投出する機構である。ノズルユニット１８ａは、台間カード処理機１０の前面に水平方向に回動可能に設けられた筒状のノズルからなり、ノズルの先端が遊技機の貯留部に位置することができるようになっている。ノズルには、台間カード処理機１０が設置される島内の補給機構から遊技媒体の供給を受けた台間カード処理機内の玉供給装置から遊技媒体が供給されるようになっている。計数ユニット１８ｂは、遊技機２０の下皿から落下させた遊技玉を計数する機構である。計数ユニット１８ｂは、遊技玉を受け入れる受皿部と、台間カード処理機１０内の下部に設けられ遊技玉を計数センサにて計数する計数部と、受皿部から遊技媒体を計数部に通過させる計数通路部とからなる。受皿部と計数通路部は、所定の操作（例えば従業員のリモコン操作）に基づいて台間カード処理機１０から一体で取り外し可能となっている。また、計数部はユニット構造になっており、計数部と受皿部、計数通路部を取り外すことにより、台間カード処理機１０は計数機能のない運用が可能である。
【００６５】
次に、図２に示した台間カード処理機１０の構成について説明する。図４は、図２に示した台間カード処理機１０の構成を示す機能ブロック図である。図４に示すように、台間カード処理機１０は、紙幣搬送部１２と、表示操作部１３と、リーダライタ１４と、かざし部１４ｂと、通信部１５と、記憶部１６と、制御部１７と、ノズルユニット１８ａと、計数ユニット１８ｂとを有する。
【００６６】
紙幣搬送部１２は、紙幣挿入口１２ａから挿入された紙幣の金種及び真偽を判別しつつ図示しない紙幣収納部に搬送する搬送部である。表示操作部１３は、玉貸に使用可能なプリペイド価値、持玉数、貯玉数等の各種情報を受け付けたカード等から特定して表示する機能や、その他のカード等に関連しない情報を表示する機能と、玉貸操作等の各種操作の受付を行なう機能を備えるタッチパネル式の液晶ディスプレイ等の入出力装置である。表示操作部１３は、前述の表示以外に、カードの収容枚数に関する過不足の表示や、上位装置との通信状態（オンライン・オフラインなど）の表示を行う機能も有している。
【００６７】
リーダライタ１４は、カード挿入口１４ａに挿入されたカードからカードＩＤを読み取る装置である。なお、カード挿入口１４ａに挿入されたカードは、このリーダライタ１４を経て図示しないカード収納部に収納される。かざし部１４ｂは、携帯端末等がかざされた場合に、近距離無線通信により携帯端末の固有ＩＤ（例えばＩＤｍ）等の各種情報を読み取るインタフェース部である。また、リーダライタ１４は、遊技客の返却操作に応じて、カード収納部に収納されたカードにカードデータ１６ｂに示される持玉やプリペイド価値等の価値データを関連付けて新たなカードとして発行する機能も有している。ただし、カードデータ１６ｂに示されるプリペイド価値が０であって、持玉数が一定数（最低保持個数）に満たない場合には、返却操作があってもカードを返却しないように制御する。これは、少量の持玉を関連付けたカードが破棄されることにより、遊技店に損失が生じるのを抑止するための制御であって、内部に予め収納されているカードだけではなく、外部から受け付けたカード（ただし会員カードを除く）についても同様に適用される。一定数としては、例えば持玉数に玉１個あたりの貸出単価を乗算した値がカードの価額あるいは遊技店内の最低価格の賞品となるように設定することができるが、これに限らず、遊技店の方針によって自由に設定できる。また、返却操作があってもカードを返却しないように制御する場合に、記憶している持玉を払出処理することもできるが、カードが返却できない旨の表示及び／又は持玉の再プレイを促す表示を行ってもよい。
【００６８】
通信部１５は、遊技機２０及び島コントローラ３０との間のデータ通信を行なうためのインタフェース部である。ノズルユニット１８ａは、玉貸又は再プレイにより遊技玉を払い出す際に、その一部又は全ての払い出しに使用される。計数ユニット１８ｂは、遊技玉を計数するユニットである。
【００６９】
記憶部１６は、ハードディスク装置や不揮発性メモリ等からなる記憶デバイスである。記憶部１６は、自装置状態データ１６ａ、カードデータ１６ｂ及びカードロックデータ１６ｃを記憶する。
【００７０】
自装置状態データ１６ａは、台間カード処理機１０の状態を示すデータである。この自装置状態データ１６ａには、台間カード処理機の装置ＩＤと、遊技設定とを含む。台間カード処理機の装置ＩＤは、台間カード処理機１０を遊技店内で一意に識別するための識別データである。遊技設定は、台間カード処理機１０に設定された遊技種等を示すデータである。遊技店内で複数のレートの遊技玉を扱う場合には、４円レートの遊技玉に「玉１」、２円レートの遊技玉に「玉２」、１円レートの遊技玉に「玉３」というように、レート毎に遊技種名を設定して管理する。台間カード処理機１０は、これらの遊技種から遊技に使用するレートを選択して、遊技設定として記憶する。
【００７１】
カードデータ１６ｂは、遊技客が使用中のカードに係るデータである。カードデータ１６ｂは、カードＩＤ、プリペイド価値、持玉、貯玉、貯玉再プレイの可能数等を含む。持玉、貯玉については、遊技種（レート）ごとにデータが存在する。カードＩＤは、リーダライタ１４により読み取られたカードＩＤである。図示しないカード収納部からカード挿入口１４ａにカードが搬送され、該カードが排出される場合には、この搬送途中でリーダライタ１４により読み取られたカードＩＤによってカードデータ１６ｂが更新される。また、カード挿入口１４ａから図示しないカード収納部にカードが搬送される場合にも、この搬送途中でリーダライタ１４により読み取られたカードＩＤによってカードデータ１６ｂが更新される。
【００７２】
カードロックデータ１６ｃは、カードロックに関するデータである。具体的には、カードロックデータ１６ｃは、カードデータ１６ｂに示されたカード、すなわち内部カードに対してカードロックを設定中であるか、また、カードロックを設定中である場合にはカードロック暗証番号を格納する。なお、ここでは、遊技客本人を認証するための認証情報の一例として暗証番号を用いる例を示しているが、認証情報はこれに限らず、遊技客が所持する、非接触通信機能を備えた携帯端末のＩＣチップの固有識別番号（ＩＤｍ）であってもよいし、金融機関や交通機関で交付される一般的なＩＣカードに内蔵されたＩＣチップの固有識別番号であってもよい。このようなＩＣチップの固有識別番号は、台間カード処理機にＲＦＩＤ（Ｒａｄｉｏ-Ｆｒｅｑｕｅｎｃｙ-Ｉｄｅｎｔｉｆｉｃａｔｉｏｎ）通信が可能な規格（例えば、Ｆｅｌｉｃａ（登録商標）、ＭＩＦＡＲＥ（登録商標）など）に対応した読取部を設けて、ＩＣカードから固有識別情報を読み取ることで取得できる。
【００７３】
制御部１７は、台間カード処理機１０の全体を制御する制御部であり、データ管理部１７ａ、計数処理部１７ｂ、制限設定部１７ｃ及び追加受付処理部１７ｄを有する。
【００７４】
データ管理部１７ａは、カードが挿入された場合に、自装置状態データ１６ａの装置ＩＤと、カードデータ１６ｂのカードＩＤとを含むカード挿入通知データをカード管理装置４０に送信する。また、データ管理部１７ａは、カード管理装置４０から価値データ（プリペイド価値、持玉数及び貯玉数の少なくともいずれか）を含むデータを受信した場合に、受信した価値データによりカードデータ１６ｂを更新する。データ管理部１７ａは、カードデータ１６ｂに示されたプリペイド価値、持玉数及び貯玉数を適宜表示操作部１３に表示制御する。
【００７５】
また、データ管理部１７ａは、紙幣挿入口１２ａに紙幣が挿入されると、挿入された紙幣の金額、カードＩＤ及び台間カード処理機ＩＤを含む入金通知データをカード管理装置４０に送信する。
【００７６】
また、データ管理部１７ａは、遊技客により玉貸操作が行なわれた場合に、カードＩＤ及び装置ＩＤを含む玉貸要求データをカード管理装置４０に送信する。この玉貸要求データへの応答として玉貸許可データを受信したならば、データ管理部１７ａは、所定数の遊技玉の払出処理を行う。
【００７７】
また、データ管理部１７ａは、遊技客により持玉再プレイ操作が行なわれた場合に、カードデータ１６ｂに示された持玉数から所定数を減算し、対応する数の遊技玉の払出処理を行う。
【００７８】
また、データ管理部１７ａは、カードデータ１６ｂに示された貯玉再プレイの可能数が１以上である場合には、表示操作部１３に貯玉再プレイボタンを表示し、貯玉再プレイ操作を受付可能とする。データ管理部１７ａは、遊技客により貯玉再プレイ操作が行なわれた場合に、カードＩＤ及び台間カード処理機ＩＤを含む貯玉再プレイ要求データを会員管理装置５０に送信する。この貯玉再プレイ要求データへの応答として貯玉再プレイデータを受信したならば、カードデータ１６ｂの貯玉数を更新し、貯玉再プレイの払出単位数の遊技玉の払出処理を行う。なお、初回の貯玉再プレイ操作時には、暗証番号の入力を求め、カードデータ１６ｂに示された暗証番号と一致することを条件に貯玉再プレイ要求データを送信する。
【００７９】
また、データ管理部１７ａは、遊技客によりカード返却操作が行なわれた場合に、カードＩＤ、装置ＩＤ並びに持玉数を含む持玉加算要求データをカード管理装置４０に送信して、カードデータ１６ｂの持玉数をゼロにクリアした後、カード排出通知データをカード管理装置４０に送信し、カードを排出する。
【００８０】
また、データ管理部１７ａは、会員カードを挿入された状態で遊技客により貯玉移行操作が行なわれたならば、カードデータ１６ｂに示された持玉数を減算し、カード管理装置４０経由で会員管理装置５０に貯玉加算要求データを送信することで、持玉を貯玉に移行させる。なお、会員カードではなく、携帯端末を用いて貯玉移行を行うこともできる。具体的には、持玉数が所定数以上で、所定の操作が行われた後に携帯端末がかざし部１４ｂにかざされたならば、データ管理部１７ａは、カードデータ１６ｂに示された持玉数を減算し、かざし部１４ｂが読み取ったＩＤｍを含む貯玉加算要求データを送信することで、持玉を貯玉に移行させる。
【００８１】
また、データ管理部１７ａは、ワゴンサービスにかかる処理を行うことができる。ワゴンサービスは、遊技店員が飲み物やタバコ等の商品をワゴンに入れて遊技店内を巡回し、遊技中の遊技客に販売するサービスである。かかるワゴンサービスでは、現金などによる支払いの他、持玉や貯玉による決済が可能である。持玉や貯玉でワゴンサービスの決済を行う場合、遊技店員が店員用端末（例えばリモコン端末）を通じて台間カード処理機１０に対する指示を行って、台間カード処理機１０をワゴンサービスの決済可能な状態にする。そして、対価として減算すべき持玉や貯玉の数量を特定可能な情報を台間カード処理機１０に入力する。この入力処理は、台間カード処理機の表示操作部１３あるいは店員用端末の操作部にて数値を入力することにより行われる。台間カード処理機１０は、入力を受け付けると、ワゴンサービスに用いる従業員用記録媒体（例えばワゴンカード）の受け付け待ちとなる。そして、ワゴンカードを受け付けると、データ管理部１７ａは、入力された数量分の持玉や貯玉をカードデータ１６ｂが示す数から減算し、従業員用記録媒体に関連付けて排出することになる。また、台間カード処理機１０は、対価として減算すべき持玉や貯玉の数量を特定可能な情報の入力を受け付けることなく、従業員用記録媒体を受け付けた場合には、ワゴンサービスの決済を行うことなく従業員用記録媒体を返却する処理を行う。また、ワゴンサービスの決済中において、対価として減算すべき持玉や貯玉の数量を特定可能な情報の入力を受け付けている場合において、持玉や貯玉の再プレイ操作・記録媒体の返却操作を受け付けた場合には、再プレイ操作・返却操作を棄却するなどして制限するか、ワゴンサービスの決済をキャンセルするかの方法により、両処理が競合することを抑止する。
【００８２】
計数処理部１７ｂは、計数ユニット１８ｂに遊技玉が投入された場合に、計数ユニット１８ｂに遊技玉の計数を行わせ、計数結果をカードデータ１６ｂの持玉数に加算する処理を行う。
【００８３】
制限設定部１７ｃは、カードの使用に対する制限を設定する処理部である。制限設定部１７ｃは、遊技客がカードロックの開始操作を行い、カードロック暗証番号を入力した場合に、カードロックデータ１６ｃにカードロック暗証番号を格納し、カードロック設定中の状態とする。
【００８４】
カードロックの開始操作は、カードに関連付けられたプリペイド価値あるいは持玉などの価値があらかじめ設定された所定値（例えばプリペイド価値１００円、持玉２５玉など）以上ある場合に行うことができる。具体的には、条件を満たしたときに、通常画面からカードロックのメニューが選択可能になり、選択すると暗証番号の設定画面が表示される。そして、遊技客により、決められた桁数（例えば４桁の数字）の任意の暗証番号が入力されると、入力された暗証番号がカードロックの暗証番号として設定される。この場合、暗証番号の設定に先立ち、同一の暗証番号の入力を確認入力として要求することが好ましい、また、カードロックの暗証番号の設定中は、カードに関連付けられた価値を使用する処理（プリペイド価値の貸出、持玉の払出等）は制限される。カードロック暗証番号は、価値が所定値以上ある場合には設定が維持されるが、所定値を下回った場合、例えば価値がいずれも零となった場合には設定がクリアされる。この所定値は、遊技店が任意で設定することができ、例えば所定値を零と設定することで、価値が発生すれば必ずこの処理を行いうるようにしてもよい。また、遊技客により、カードロックの設定解除操作が行われた場合、カードの返却が行われた場合にも設定がクリアされる。この設定のクリアを行うには、予め設定したカードロック暗証番号の入力が行われることが条件となる。なお、受け付け中のカードが会員カードである場合には、価値の条件に関わらずカードロックの設定が可能であり、カードロックのメニューを選択すると、会員登録時に会員カードの暗証番号として設定した暗証番号が、カードロックの暗証番号として設定される。会員カードのカードロックの設定は、価値の条件に関わらず、カードロックの設定解除操作が行われるまで維持される。また、カードの返却がロックされた状態においても、その他の操作、例えば貸出操作、持玉払出操作などは行いうるようにすることで、セキュリティを高めつつ利便性を維持できるようにすることが好ましい。また、カードロックの開始操作を行いうるようになる所定値と、カードロックの設定をクリアするための所定値を異ならせて設定できてもよい。また、カードロックの設定は、カード管理装置４０でカードＩＤに対応付けて記憶することで、異なる台に移動した場合にも設定を引き継ぐようにすることができる。また、カードロックの設定を行った場合に、ロックの対象を返却だけではなく、賞品管理装置６０での賞品交換、精算機８０でのプリペイド価値の精算についてもロックの対象とすることもできる。また、賞品交換、精算、貸出、持玉払出、貯玉払出、返却などのうちの一つないし複数を遊技客が選択してロックの対象とすることもできる。
【００８５】
カードロック設定中の状態で、遊技客によりカード返却操作が行なわれたならば、制限設定部１７ｃは、暗証番号の入力を求める表示を表示操作部１３に行わせ、遊技客が入力した暗証番号がカードロックデータ１６ｃに格納したカードロック暗証番号と一致することを条件に、データ管理部１７ａによるカード返却を行わせる。そして、カード返却が行われた場合、カードロックデータ１６ｃをクリアする。
【００８６】
なお、台間カード処理機１０は、カードロック設定中の状態においても、上述のワゴンサービスの決済に係る操作を受け付けることが可能となっている。具体的には、カードロック設定中の状態においても、店員用端末からの指示に基づいて従業員用記録媒体を受け付けることが可能であり、後述の追加カードを受け付けた場合の処理と異なり、従業員用記録媒体を受け付けた場合には暗証番号の入力は要求されない。
【００８７】
また、制限設定部１７ｃは、会員カードを受け付けている状態で、遊技機２０がアウトパルスを所定時間以上出力していないときに会員登録時の暗証番号を用いてカードロックの設定を行い、アウトパルスの出力が再開された場合にカードロックの設定を解除することも可能である。アウトパルスは、アウト玉検出装置が遊技盤面からの遊技玉の排出を検知して出力する信号である。遊技客による遊技が行われている間は、アウトパルスが定期的に出力されるので、アウトパルスに基づいてカードロックの設定と解除を行うことで、遊技客が遊技を休止したときに自動的にカードロックを設定し、遊技を再開したときに自動的にカードロックを解除することができる。
【００８８】
追加受付処理部１７ｄは、追加カードの受付を行う処理部である。具体的には、追加受付処理部１７ｄは、カードデータ１６ｂにカードＩＤが格納された状態、すなわち、内部カードを使用中の状態で、新たなカードである追加カードを受け付けたならば、内部カードのプリペイド価値及び持玉を追加カードのプリペイド価値及び持玉に加算し、それまでの内部カードを取り込み、追加カードを新たな内部カードとする合算処理を行う。合算処理の結果、カードデータ１６ｂのカードＩＤは、追加カードのカードＩＤとなり、プリペイド価値及び持玉は元の内部カードと追加カードの合計値となる。なお、持玉の合算は、遊技種毎に行う。ここで、１のカードの関連付けられる遊技種の数に上限が設定されており、合算により持玉数が０以上となる遊技種の数が上限を超える場合には、追加受付処理部１７ｄは、追加カードを受け付けることなく返却する。
【００８９】
内部カードに対し、制限設定部１７ｃによりカードロックが設定されている場合、追加受付処理部１７ｄは、暗証番号の入力を要求し、遊技客が入力した暗証番号がカードロックデータ１６ｃに格納したカードロック暗証番号と一致することを条件に、追加カードを受け付けて合算を実行する。
【００９０】
同様に、追加カードについて暗証番号が設定されている場合、例えば、追加カードが会員カードであり、会員情報として暗証番号が登録されている場合にも、追加受付処理部１７ｄは、暗証番号の入力を要求し、遊技客が入力した暗証番号が追加カードに設定された暗証番号と一致することを条件に、追加カードを受け付けて合算を実行する。
【００９１】
また、内部カードと追加カードの双方に暗証番号が設定されている場合、例えば、内部カードに制限設定部１７ｃによるカードロックが設定され、追加カードが会員カードである場合、追加受付処理部１７ｄは、内部カードの暗証番号と追加カードの暗証番号についてそれぞれ入力を要求し、それぞれについて暗証番号が一致することを条件に、追加カードを受け付けて合算を実行する。
【００９２】
このように、内部カードと追加カードの双方に暗証番号が設定され、それぞれ入力を要求する場合、追加受付処理部１７ｄは、入力すべき暗証番号を示す報知を行った上で暗証番号の入力を要求する。例えば、内部カードに制限設定部１７ｃによるカードロックが設定され、追加カードが会員カードである場合には、「カードロックの暗証番号を入力して下さい」と表示操作部１３に表示した上で受け付けた暗証番号を内部カードのカードロック暗証番号と比較し、「会員カードの暗証番号を入力して下さい」と表示操作部１３に表示した上で受け付けた暗証番号を追加カードの暗証番号と比較することになる。
【００９３】
内部カードと追加カードのいずれかのみに暗証番号が設定されているときには、暗証番号の入力を要求する場合に、入力すべき暗証番号を示す報知を行わなくともよい。
【００９４】
なお、内部カードと追加カードの少なくとも一方に暗証番号が設定され、入力された暗証番号が設定された暗証番号と不一致となった場合には、追加受付処理部１７ｄは、追加カードを受け付けることなく返却する。
【００９５】
また、アウトパルスが出力されないことに基づいて自動的にカードロックを設定した状態で、追加カードを挿入された場合には、暗証番号等の入力を求めることなく追加カードを受け付けて合算を実行することとしてもよい。
【００９６】
次に、台間カード処理機１０の記憶部１６に記憶されるデータの一例について説明する。図５は、台間カード処理機１０の記憶部１６に記憶されるデータの一例を説明するための説明図である。
【００９７】
図５（ａ）に示す自装置状態データ１６ａは、台間カード処理機１０のＩＤが「３００１」であり、台間カード処理機１０の遊技種として「玉１」が設定された状態を示している。
【００９８】
図５（ｂ）に示すカードデータ１６ｂは、台間カード処理機１０に挿入されたカードのＩＤが「１００１」である状態を示している。なお、ここでは、カードＩＤの上１桁がカードの種別を示しており、上１桁が「１」のカードが一般カード、上１桁が「２」のカードが会員カードである。また、カードデータ１６ｂは、プリペイド価値が「２０００度数」である状態を示している。なお、ここではプリペイド価値の度数とは１度数が１円相当である。また、カードデータ１６ｂは、玉１の持玉数が「３７５玉」であり、玉２の持玉数が「５００玉」であり、玉３の持玉数が「２０００玉」である状態を示している。
【００９９】
また、カードデータ１６ｂは、貯玉に関係するデータとして、暗証番号、貯玉再プレイ可能数、各遊技種の貯玉数を格納することができるが、図５（ｂ）は一般カードを受け付けた状態であるため、これらのデータは該当なしを示す「−」となっている。なお、ここでは再プレイが可能な玉数を再プレイの可能数として格納する構成を示したが、再プレイの可能な回数を再プレイ度数として格納してもよい。また、図示していないが、カード管理装置４０では、カードＩＤに対応付けて、持玉、貯玉、プリペイド価値以外にカードの有効/無効を示す「ロック」フラグのＯＮ/ＯＦＦも記憶しており、カードの盗難が発覚した場合に従業員操作によってＯＮにされる。これらのデータもカードデータ１６ｂに含まれて記憶されている。さらに、この「ロック」フラグは機能（「貯玉使用」、「乗入」等）別にも設定できるようになっており、例えば遊技客の要望により「乗入」の機能だけを「ロック」の対象として、誤操作を防ぐことに用いることもできる。なお、本明細書中で「乗入」とは、あるレートの遊技媒体数を他のレートの遊技媒体数に遊技媒体の単価の比率に基づいて換算して使用することを意味する。具体的な例では、４円レートに対応付けられた台間カード処理機１０において、１円レートの玉数Ｘを使用して、Ｘ×（１円／４円）＝Ｘ／４の玉数を払出処理することが例示できる。この「乗入」の機能は、店舗の運営方針により会員管理装置５０で有効／無効を切り替えることができる。
【０１００】
図５（ｃ）に示すカードロックデータ１６ｃは、内部カードに対してカードロックを設定中であるか、また、カードロックを設定中である場合にはカードロック暗証番号を格納する。図５（ｃ）では、カードロックが「設定中」であり、カードロック暗証番号が「１２３４」である状態を示している。
【０１０１】
次に、追加カードの挿入時の処理手順について説明する。図６は、追加カードの挿入時の処理手順を示すフローチャートである。まず、追加受付処理部１７ｄは、内部カードを使用している状態で追加カードの挿入を検知すると（ステップＳ１０１）、追加カードが会員カードであり、かつ暗証番号が設定されているか否かを判定する（ステップＳ１０２）。
【０１０２】
追加カードが会員カードであり、かつ暗証番号が設定されている場合（ステップＳ１０２；Ｙｅｓ）、追加受付処理部１７ｄは、制限設定部１７ｃにより内部カードに対してカードロック暗証番号が設定されているか否かを判定する（ステップＳ１０３）。内部カードに対してカードロック暗証番号が設定されているならば（ステップＳ１０３；Ｙｅｓ）、追加受付処理部１７ｄは、追加カードに設定された暗証番号、すなわち会員暗証番号の入力を求める案内表示を表示操作部１３に表示制御する（ステップＳ１０４）。
【０１０３】
ステップＳ１０４の後、もしくは内部カードにカードロック暗証番号が設定されていない場合（ステップＳ１０３；Ｎｏ）、追加受付処理部１７ｄは、遊技客による暗証番号の入力を受け付ける（ステップＳ１０５）。ここで、入力された暗証番号が会員暗証番号と一致しなければ、追加カードは返却され、処理は終了する。図６では、入力された暗証番号が会員暗証番号と一致する前提で説明を行う。
【０１０４】
ステップＳ１０５の後、追加カードが会員カードではない、もしくは会員暗証番号が設定されていない場合（ステップＳ１０３；Ｎｏ）、追加受付処理部１７ｄは、内部カードの情報を表示操作部１３に表示制御し（ステップＳ１０６）、合算の確認操作を求める。具体的には、カードデータ１６ｂに格納されたプリペイド価値及び持玉と、合算実行に対応する操作ボタンが表示操作部１３に表示制御されることになる。
【０１０５】
ステップＳ１０６で合算の確認操作が行われたならば、追加受付処理部１７ｄは、制限設定部１７ｃにより内部カードに対してカードロック暗証番号が設定されているか否かを判定する（ステップＳ１０７）。内部カードに対してカードロック暗証番号が設定されているならば（ステップＳ１０７；Ｙｅｓ）、追加受付処理部１７ｄは、カードロック暗証番号の入力を求める案内表示を表示操作部１３に表示制御する（ステップＳ１０８）。ステップＳ１０８の後、追加受付処理部１７ｄは、遊技客による暗証番号の入力を受け付ける（ステップＳ１０９）。ここで、入力された暗証番号がカードロック暗証番号と一致しなければ、追加カードは返却され、処理は終了する。図６では、入力された暗証番号がカードロック暗証番号と一致する前提で説明を行う。
【０１０６】
ステップＳ１０９の後、もしくは内部カードにカードロック暗証番号が設定されていない場合（ステップＳ１０７；Ｎｏ）、追加受付処理部１７ｄは、合算処理を行って（ステップＳ１１０）、処理を終了する。この合算処理では、追加受付処理部１７ｄは、内部カードのプリペイド価値及び持玉を追加カードのプリペイド価値及び持玉に加算し、それまでの内部カードを取り込み、追加カードを新たな内部カードとする。
【０１０７】
次に、追加カードの挿入時における表示の具体例について説明する。図７は、追加カードの挿入時における表示の具体例についての説明図である。まず、図７（ａ）に示す待機画面では、内部カードのプリペイド価値の残高、内部カードの持玉数、内部カードの種別、台間カード処理機１０のレート、メニューボタンが表示される。図７（ａ）では、プリペイド価値が「２０００円」、持玉が「３７５玉」、内部カードの種別が「一般カード」、レートが「１玉４円」の状態を示している。なお、待機画面に表示される持玉数は、台間カード処理機１０のレートの持玉数である。
【０１０８】
また、図７（ｂ）に示す会員暗証番号の入力案内表示では「会員カードの暗証番号を入力して下さい」とのメッセージを表示する。この会員暗証番号の入力案内表示は、図６のステップＳ１０４で用いられる。
【０１０９】
同様に、図７（ｃ）に示すカードロック暗証番号の入力案内表示では「カードロックの暗証番号を入力して下さい」とのメッセージを表示する。このカードロック暗証番号の入力案内画面は、図６のステップＳ１０８で用いられる。
【０１１０】
図７（ｄ）に示す暗証番号入力画面では暗証番号の入力に用いる数字ボタンと、取消しボタンと、数字ボタンの配置を並び替える並替ボタンと、暗証番号の入力状況とが表示される。この暗証番号入力画面は、図６のステップＳ１０５及びステップＳ１０９で用いられる。
【０１１１】
図７（ｅ）に示す内部カードの情報表示画面では、「プリペイド価値と持玉を合算しますか？」とのメッセージと、内部カードのプリペイド価値の残高と、内部カードの持玉数と、「合算する」ボタンと、「取消」ボタンとが表示される。なお、内部カードに複数の遊技種の持玉が関連付けられている場合には、所定時間の経過ごとに表示する持玉の遊技種を変更するサイクリック表示を行えばよい。図７（ｅ）では、４円レートの遊技種を示す「４パチ」の持玉数「３７５玉」と、２円レートの遊技種を示す「２パチ」の持玉数「５００玉」と、１円レートの遊技種を示す「１パチ」の持玉数「２０００玉」とをサイクリック表示する状態を示している。なお、プリペイド価値の残高「２０００円」など、他の表示は共通である。この内部カードの情報表示画面は、図６のステップＳ１０６で用いられる。
【０１１２】
図７（ｆ）に示す合算処理画面では、「合算中です」とのメッセージを表示した後、「しばらくお待ち下さい」との表示を行いつつ合算処理を実行し、合算処理の完了後に合算結果を表示する。図７（ｆ）では、合算の結果、プリペイド価値の残高が「３０００円」、持玉が「８７５玉」となった状態を示している。その他の表示については待機画面と同様である。この合算処理画面は、図６のステップＳ１１０で用いられる。
【０１１３】
次に、追加カードの挿入時の処理手順の変形例について説明する。図６では、追加カードの挿入を検知して処理を開始する場合を示したが、メニューボタンから合算操作ボタンを表示させ、合算操作ボタンに対して操作が行われた場合に、「合算するカードを挿入して下さい」などの表示を行って追加カードを挿入させる構成としてもよい。かかる構成では、追加カードの挿入後の処理は図６と同様となる。
【０１１４】
また、メニューボタンから合算操作ボタンを表示させ、合算操作ボタンに対して操作が行われた場合に、内部カードの情報を表示した上で、追加カードの挿入を求める構成としてもよい。
【０１１５】
図８は、内部カードの情報を表示した上で追加カードの挿入を求める場合の処理手順を示すフローチャートである。まず、追加受付処理部１７ｄは、合算操作ボタンに対する操作を受け付けると（ステップＳ２０１）、内部カードの情報を表示操作部１３に表示制御し（ステップＳ２０２）、合算の確認操作を求める。具体的には、カードデータ１６ｂに格納されたプリペイド価値及び持玉と、合算実行に対応する操作ボタンが表示操作部１３に表示制御されることになる。
【０１１６】
ステップＳ２０２で合算の確認操作が行われたならば、追加受付処理部１７ｄは、制限設定部１７ｃにより内部カードに対してカードロック暗証番号が設定されているか否かを判定する（ステップＳ２０３）。内部カードに対してカードロック暗証番号が設定されているならば（ステップＳ２０３；Ｙｅｓ）、追加受付処理部１７ｄは、カードロック暗証番号の入力を求める案内表示を表示操作部１３に表示制御する（ステップＳ２０４）。ステップＳ２０４の後、追加受付処理部１７ｄは、遊技客による暗証番号の入力を受け付ける（ステップＳ２０５）。ここで、入力された暗証番号がカードロック暗証番号と一致しなければ、追加カードは返却され、処理は終了する。図８では、入力された暗証番号がカードロック暗証番号と一致する前提で説明を行う。
【０１１７】
ステップＳ２０５の後、もしくは内部カードにカードロック暗証番号が設定されていない場合（ステップＳ２０３；Ｎｏ）、追加受付処理部１７ｄは、追加カードの挿入案内を表示操作部１３に表示制御する（ステップＳ２０６）。具体的には、「合算するカードを挿入して下さい」などのメッセージを表示すればよい。
【０１１８】
ステップＳ２０６の後、追加カードが挿入されたならば、追加受付処理部１７ｄは、追加カードが会員カードであり、かつ暗証番号が設定されているか否かを判定する（ステップＳ２０７）。
【０１１９】
追加カードが会員カードであり、かつ暗証番号が設定されている場合（ステップＳ２０７；Ｙｅｓ）、追加受付処理部１７ｄは、会員暗証番号の入力を求める案内表示を表示操作部１３に表示制御する（ステップＳ２０８）。ステップＳ２０８の後、追加受付処理部１７ｄは、遊技客による暗証番号の入力を受け付ける（ステップＳ２０８）。ここで、入力された暗証番号が会員暗証番号と一致しなければ、追加カードは返却され、処理は終了する。図８では、入力された暗証番号が会員暗証番号と一致する前提で説明を行う。
【０１２０】
ステップＳ２０９の後、追加カードが会員カードではない、もしくは会員暗証番号が設定されていない場合（ステップＳ２０７；Ｎｏ）、追加受付処理部１７ｄは、合算処理を行って（ステップＳ２１０）、処理を終了する。この合算処理では、追加受付処理部１７ｄは、内部カードのプリペイド価値及び持玉を追加カードのプリペイド価値及び持玉に加算し、それまでの内部カードを取り込み、追加カードを新たな内部カードとする。
【０１２１】
次に、カードロック暗証番号の管理について説明する。図９は、カードロック暗証番号の管理についての説明図である。図９（ａ）に示したように、遊技機２０に併設された台間カード処理機１０は、カードＩＤとカードロック暗証番号とを関連付けて管理している。図９（ａ）では、カードＩＤ「１００１」に対し、カードロック暗証番号「１２３４」を関連付けた状態を示している。
【０１２２】
図９（ａ）に示した状態で、遊技客がカード返却操作を行い、カードロック暗証番号を入力すると、台間カード処理機１０は、図９（ｂ）に示すようにカードを返却する。カードの返却に伴い、台間カード処理機１０は、自装置が管理するカードＩＤ及びカードロック暗証番号をクリアする。このため、図９（ｂ）では、カードＩＤ及びカードロック暗証番号が「なし」となっている。
【０１２３】
また、一般カードのプリペイド価値や持玉等の価値が所定値以下になった場合にもカードロック暗証番号をクリアする。例えば、プリペイド価値の残高が「０」、台間カード処理機１０に設定されたレートの持玉が２５玉以下、その他のレートの持玉が全て「０」となった場合に、カードロック暗証番号をクリアする。
【０１２４】
このように、図９に示した構成では、台間カード処理機１０がカードロック暗証番号を管理し、カードを返却した場合と、カードの価値が所定値以下となった場合にカードロック暗証番号をクリアする。
【０１２５】
変形例として、カード管理装置４０等の上位装置がカードロック暗証番号を管理する構成としてもよい。図１０は、カード管理装置４０がカードロック暗証番号を管理する構成の説明図である。
【０１２６】
図１０に示した構成では、台間カード処理機１０と接続されたカード管理装置４０がカードＩＤとカードロック暗証番号とを関連づけて管理している。従って、カードの返却時や追加カードの挿入時には、台間カード処理機１０は遊技客が入力した暗証番号をカード管理装置４０に送信し、カード管理装置４０による暗証番号の比較結果を受信して、カード返却や追加カード受付の可否を決定することになる。もしくは、台間カード処理機１０がカード管理装置４０からカードロック暗証番号を取得し、遊技客が入力した暗証番号と比較し、カード返却や追加カード受付の可否を決定してもよい。
【０１２７】
このように、カード管理装置４０がカードロック暗証番号を管理する構成では、台間カード処理機１０がカードを返却した場合にも、カードロック暗証番号は維持される。従って、台間カード処理機１０に追加カードとして挿入されたカードにカードロック暗証番号が設定されているという状況が発生しうる。追加カードにカードロック暗証番号が設定されている場合であっても、追加カードに会員暗証番号が設定されている場合と同様に暗証番号の入力を求めることで、追加カードの受付が可能である。
【０１２８】
カード管理装置４０が管理するカードロック暗証番号は、カードの価値が所定値以下になった場合にクリアされる。例えば、プリペイド価値の残高が「０」、かつ持玉が全て「０」となった場合に、カードロック暗証番号をクリアすればよい。
【０１２９】
図１１は、カードロック暗証番号をカード自体に格納可能な構成についての説明図である。図１１（ａ）では、遊技機２０に併設された台間カード処理機１０は、カードＩＤとカードロック暗証番号とを関連付けて管理している。図１１（ａ）は、カードＩＤ「１００１」に対し、カードロック暗証番号「１２３４」を関連付けた状態を示している。
【０１３０】
図１１（ａ）に示した状態で、遊技客がカード返却操作を行い、カードロック暗証番号を入力すると、台間カード処理機１０は、図１１（ｂ）に示すようにカードロック暗証番号をカードに書き込んで返却する。また、カードの返却に伴い、台間カード処理機１０は、自装置が管理するカードＩＤ及びカードロック暗証番号をクリアする。このため、図１１（ｂ）では、台間カード処理機１０が管理するカードＩＤ及びカードロック暗証番号が「なし」となり、返却されたカードにカードロック暗証番号「１２３４」が格納された状態となっている。
【０１３１】
このように、カード自体にカードロック暗証番号を格納する構成では、台間カード処理機１０がカードを返却した場合にも、カードロック暗証番号は維持される。従って、台間カード処理機１０に追加カードとして挿入されたカードにカードロック暗証番号が設定されているという状況が発生しうる。追加カードにカードロック暗証番号が設定されている場合であっても、追加カードに会員暗証番号が設定されている場合と同様に暗証番号の入力を求めることで、追加カードの受付が可能である。
【０１３２】
また、図１１に示した構成では、台間カード処理機１０は、カードの価値に関わらず、一定の操作が行われるまでカードロック暗証番号を維持する。具体的には、カードの価値が全て「０」となった状態でカード返却操作が行われたときに、台間カード処理機１０はカードロック暗証番号をクリアする。
【０１３３】
次に、追加カードにカードロック暗証番号が設定されている場合の処理について説明する。図１２は、追加カードにカードロック暗証番号が設定されている場合の処理についての説明図である。
【０１３４】
図１２（ａ）では、内部カードのカードＩＤが「１００１」、プリペイド価値の残高が「２０００」、持玉が「３７５」、カードロック「設定中」、カードロック暗証番号「１２３４」であり、追加カードはカードＩＤが「１００２」、プリペイド価値の残高が「１０００」、持玉が「５００」、カードロック「未設定」である。
【０１３５】
この場合に追加カードを受け付けて合算処理を行うと、合算処理後の内部カードはカードＩＤが「１００２」、プリペイド価値の残高が「３０００」、持玉が「８７５」、カードロック「設定中」、カードロック暗証番号「１２３４」となる。すなわち、カードＩＤは追加カードのカードＩＤに置き換えられ、カードロック暗証番号は元の内部カードに設定されていたカードロック暗証番号が維持される。
【０１３６】
一方、図１２（ｂ）では、内部カードのカードＩＤが「１００１」、プリペイド価値の残高が「２０００」、持玉が「３７５」、カードロック「設定中」、カードロック暗証番号「１２３４」であり、追加カードはカードＩＤが「１００２」、プリペイド価値の残高が「１０００」、持玉が「５００」、カードロック「設定中」、カードロック暗証番号「５６７８」である。
【０１３７】
この場合に追加カードを受け付けて合算処理を行うと、合算処理後の内部カードはカードＩＤが「１００２」、プリペイド価値の残高が「３０００」、持玉が「８７５」、カードロック「設定中」、カードロック暗証番号「５６７８」となる。すなわち、カードＩＤは追加カードのカードＩＤに置き換えられ、カードロック暗証番号も追加カードに設定されていたカードロック暗証番号に置き換えられる。
【０１３８】
このように、内部カードにカードロック暗証番号が設定され、追加カードにカードロック暗証番号が設定されていない場合には、内部カードのカードロック暗証番号を用いてカードロック設定中の状態を継続し、内部カードと追加カードの双方にカードロック暗証番号が設定されている場合には、追加カードのカードロック暗証番号を用いてカードロック設定中の状態を継続する。このため、遊技客は追加カードを挿入した場合にもカードロックに係る設定を再び行う必要がなく、利便性を向上することができる。
【０１３９】
なお、内部カードにカードロック暗証番号が設定されておらず、追加カードにカードロック暗証番号が設定されている場合には、追加カードのカードロック暗証番号を用いてカードロック設定中の状態を継続すればよい。また、内部カードと追加カードの双方にカードロック暗証番号が設定されていない場合には、追加カードの挿入後もカードロック暗証番号が設定されていない状態となる。
【０１４０】
次に、カードロック暗証番号の設定画面の例について説明する。図１３は、暗証番号の設定画面についての説明図である。遊技客がカードロックの開始操作を行うと、図１３に示すように、「カード返却時に暗証番号の入力条件とする監視項目を選択して下さい」とのメッセージと、監視項目の選択ボタンを表示する。図１３では、監視項目の選択ボタンとして「プリペイド価値」、「持玉」、「両方」、「なし」が表示されている。これらの選択ボタンにより監視項目を選択すると、選択された監視項目の残高が所定値以上である場合にカード返却が禁止される。
【０１４１】
そして、監視項目の選択後、「カード返却時に参照する暗証番号を入力して下さい」などのメッセージとともに、暗証番号を入力する画面が表示される。この画面で入力された暗証番号が、カードロック暗証番号としてカードロックデータ１６ｃに格納されることになる。
【０１４２】
上述してきたように、本実施例１では、各台装置である台間カード処理機１０は、遊技玉の払出に使用可能な価値が関連付けられた記憶媒体であるカードの使用に対して制限を設定可能であり、第１の記憶媒体である内部カードの使用に対して制限を設定した状態であれば、所定の入力、すなわち内部カードのカードロック暗証番号の入力を受け付けたことを条件に第２の記憶媒体である追加カードの受付を可能とする。このため、カードの不正な使用の制限と、複数のカードの取扱の双方に対応し、カードの使用に係る利便性を向上することができる。
【０１４３】
なお、所定の入力は、カードロック暗証番号に限らず、予め指定された解除用の文字列など、任意の入力として実施することが可能である。
【０１４４】
また、本実施例１では、台間カード処理機１０は、追加カードを受け付けた場合に、内部カードに関連付けられていた価値（プリペイド価値や持玉）を追加カードに関連付けられた価値に移行させ、追加カードを新たな内部カードとする。
【０１４５】
また、本実施例１では、内部カードに解除用文字列としてカードロック暗証番号が設定され、追加カードに会員暗証番号等の解除用文字列が設定されている場合には、内部カードの解除用文字列と追加カードの解除用文字列の双方について入力を受け付けたことを条件に追加カードを受け付ける構成としている。
【０１４６】
さらに、本実施例１に係る台間カード処理機１０は、内部カードと追加カードの双方に解除用文字列が設定されている場合には、入力すべき解除用文字列が内部カードの解除用文字列であることを示す報知を行って内部カードの解除用文字列の入力を受け付け、入力すべき解除用文字列が追加カードの解除用文字列であることを示す報知を行って追加カードの解除用文字列の入力を受け付ける。このため、遊技客は必要な暗証番号を円滑に入力することができる。
【０１４７】
また、本実施例１に係る台間カード処理機１０は、内部カードと追加カードの双方にカードロック暗証番号が設定されている場合には、内部カードの価値を追加カードに移行させた後、追加カードに設定されたカードロック暗証番号を用いてカードロック設定中の状態を継続する。このため、遊技客は追加カードを挿入した場合にもカードロックに係る設定を再び行う必要がなく、利便性を向上することができる。
【０１４８】
なお、本実施例１では、カードロック設定中の状態でカードの返却を制限し、玉貸や再プレイ等の他の操作については制限を行わない構成を例示したが、カードの返却以外の操作についても制限を行うよう構成してもよい。
【実施例２】
【０１４９】
本実施例２では、遊技機に封入された遊技玉を用いる封入式の遊技機に本発明を適用する場合について説明する。封入式の遊技機では、遊技玉を遊技盤面に投出可能な数を遊技可能数として管理しており、玉貸や再プレイ時等の際には、遊技玉の現物を払出処理するのではなく、遊技可能数を加算することとなる。
【０１５０】
図１４は、封入式の遊技機１２０と台間カード処理機１１０の外観を示す図である。図１４では、紙幣のみを受け付ける台間カード処理機１１０を図示したが、硬貨受付用のユニットを設けることもできる。
【０１５１】
図１４に示すように台間カード処理機１１０は、実施例１と同様に、状態表示部１１、紙幣挿入口１２ａ、表示操作部１３、カード挿入口１４ａ及びかざし部１４ｂを有し、さらに表示操作部２２を有する。
【０１５２】
状態表示部１１、紙幣挿入口１２ａ、表示操作部１３、カード挿入口１４ａ及びかざし部１４ｂについては実施例１と同様であるので、説明を省略する。表示操作部２２は、タッチパネルディスプレイ等の表示装置であり、遊技機１２０の前面に位置しているものの、その入出力の制御は台間カード処理機１１０によって行われる。表示操作部２２は、持玉の残高等の各種情報の表示と、各種操作の受け付けを行なうタッチパネルディスプレイ等の入出力装置である。
【０１５３】
遊技機１２０には、遊技盤面と、封入された遊技玉を遊技盤面に投出する際に使用するハンドル２１と、計数ボタン２３とが設けられている。
【０１５４】
計数ボタン２３は、遊技機１２０の遊技可能数を減算し、対応する数を台間カード処理機１１０の持玉に加算することで、投出可能な玉数の管理を遊技機１２０から台間カード処理機１１０に移行させる管理移行を行うための操作ボタンである。この管理移行は、入賞により現物の遊技玉が払い出される開放式の遊技機では、払い出された遊技玉を台間カード処理機が計数して持玉に加算する計数処理に対応する。
【０１５５】
次に、図１４に示した台間カード処理機１１０及び遊技機１２０の構成について説明する。図１５は、図１４に示した台間カード処理機１１０及び遊技機１２０の構成を示す機能ブロック図である。図１５に示すように、台間カード処理機１１０は、実施例１と同様に、紙幣搬送部１２と、表示操作部１３と、リーダライタ１４と、かざし部１４ｂと、通信部１５と、記憶部１６と、制御部１１７とを有し、さらに遊技管理部１８と、表示操作部２２とを有する。
【０１５６】
紙幣搬送部１２、表示操作部１３、リーダライタ１４、かざし部１４ｂ及び通信部１５については、実施例１と同様であるので、説明を省略する。なお、台間カード処理機１１０は、実施例１と異なり、ノズルユニット１８ａ及び計数ユニット１８ｂを有さない。
【０１５７】
記憶部１６は、ハードディスク装置や不揮発性メモリ等からなる記憶デバイスである。記憶部１６は、実施例１と同様に、自装置状態データ１６ａ、カードデータ１６ｂ及び貯玉移行制御データ１６ｃを記憶する。
【０１５８】
遊技管理部１１８は、認証や遊技機１２０との通信に係る処理を行なう処理部である。この遊技管理部１１８は、制御部１７と異なる基板上に形成することが望ましい。遊技管理部１１８は、認証処理部１１８ａ、認証鍵管理部１１８ｂ及び遊技機状態管理部１１８ｃを有する。
【０１５９】
認証処理部１１８ａは、上位装置（例えばカード管理装置４０）から受信した認証鍵を使用して遊技機１２０の認証を実施する。認証処理部１１８ａは、認証が成功したならば、遊技機１２０へ動作許可を送信する。認証処理部１１８ａは、認証が失敗した場合であっても、最後の認証成功から所定期間内であれば遊技機１２０への動作許可を送信するが、最後の認証成功から所定期間が経過した後は遊技機１２０への動作許可を送信せず、遊技機１２０の使用を禁止する。認証処理部１１８ａは、認証の成否などの認証の結果を上位装置に送信するとともに、表示操作部１３に適宜表示制御する。
【０１６０】
認証鍵管理部１１８ｂは、認証鍵の管理を行なう処理部である。認証鍵には使用時間が設定されており、遊技機１２０の稼働時間の累計が認証鍵の使用時間に達した場合に該認証鍵は使用不能となる。具体的には、認証鍵管理部１１８ｂは、遊技管理部１１８が形成された基板の通電時間を遊技機１２０の稼働時間として用い、認証鍵の使用時間を管理している。認証鍵が使用不能となった場合には、認証鍵管理部１１８ｂは、上位装置を介して認証鍵管理センタから新たな認証鍵を取得し、認証鍵の更新を行なう。
【０１６１】
遊技機状態管理部１１８ｃは、遊技機１２０と通信し、遊技機１２０の状態を管理する処理部である。具体的には、遊技機状態管理部１１８ｃは、遊技機１２０からの遊技機ＩＤの取得、玉貸による遊技可能数への加算要求の送信、持玉再プレイによる持玉から遊技可能数への管理移行要求の送信、貯玉再プレイによる遊技可能数への加算要求の送信、遊技機１２０における打込玉数や賞出玉数等の遊技結果の受信、計数による遊技可能数から持玉への管理移行要求の受信を行なう。また、遊技機状態管理部１１８ｃは、遊技機１２０の遊技可能数を参考値として定期的に取得する。遊技機状態管理部１１８ｃが取得した遊技可能数は、表示操作部１３などに表示制御することができる。なお、台間カード処理機１１０と遊技機１２０との通信は、所定の暗号方式を用いた暗号通信を用いる。
【０１６２】
なお、遊技機状態管理部１１８ｃは、遊技機１２０の現在の遊技可能数や、「大当り」などの遊技に設定された状態をさらに取得することとしてもよい。遊技機状態管理部１１８ｃが遊技機１２０の状態を取得する時間間隔は、遊技機１２０において遊技玉が発射（使用）される間隔よりも短く設定することが望ましい。
【０１６３】
制御部１１７は、台間カード処理機１１０の全体を制御する制御部であり、データ管理部１１７ａ、遊技設定処理部１１７ｂ、制限設定部１１７ｃ及び追加受付処理部１１７ｄを有する。
【０１６４】
データ管理部１１７ａは、カードが挿入された場合に、自装置状態データ１６ａの装置ＩＤと、カードデータ１６ｂのカードＩＤとを含むカード挿入通知データをカード管理装置４０に送信する。また、データ管理部１１７ａは、カード管理装置４０から有価価値（プリペイド価値、持玉数及び貯玉数の少なくともいずれか）を含むデータを受信した場合に、受信した有価価値によりカードデータ１６ｂを更新する。データ管理部１１７ａは、カードデータ１６ｂに示されたプリペイド価値、持玉数及び貯玉数を適宜表示操作部１３に表示制御する。
【０１６５】
また、データ管理部１１７ａは、紙幣挿入口１２ａに紙幣が挿入されると、挿入された紙幣の金額、カードＩＤ及び台間カード処理機ＩＤを含む入金通知データをカード管理装置４０に送信する。
【０１６６】
また、データ管理部１１７ａは、遊技客により玉貸操作が行なわれた場合に、カードＩＤ及び装置ＩＤを含む玉貸要求データをカード管理装置４０に送信する。この玉貸要求データへの応答として玉貸許可データを受信したならば、データ管理部１１７ａは、所定数の玉数を遊技機１２０の遊技可能数に加算させるよう遊技管理部１１８に指示することで払出処理を行う。
【０１６７】
また、データ管理部１１７ａは、遊技客により持玉再プレイ操作が行なわれた場合に、カードデータ１６ｂに示された持玉数から所定数を減算し、対応する玉数を遊技機１２０の遊技可能数に加算させるよう遊技管理部１１８に指示することで払出処理を行う。
【０１６８】
また、データ管理部１１７ａは、カードデータ１６ｂに示された貯玉再プレイの可能数が１以上である場合には、表示操作部１３に貯玉再プレイボタンを表示し、貯玉再プレイ操作を受付可能とする。データ管理部１１７ａは、遊技客により貯玉再プレイ操作が行なわれた場合に、カードＩＤ及び台間カード処理機ＩＤを含む貯玉再プレイ要求データを会員管理装置５０に送信する。この貯玉再プレイ要求データへの応答として貯玉再プレイデータを受信したならば、カードデータ１６ｂの貯玉数を更新し、貯玉再プレイの払出単位数を遊技機１２０の遊技可能数に加算させるよう遊技管理部１１８に指示することで払出処理を行う。なお、初回の貯玉再プレイ操作時には、暗証番号の入力を求め、カードデータ１６ｂに示された暗証番号と一致することを条件に貯玉再プレイ要求データ送信する。
【０１６９】
また、データ管理部１１７ａは、遊技管理部１１８が遊技機１２０から遊技玉の移行要求を受け付けた場合には、遊技管理部１１８に指示された玉数をカードデータ１６ｂの持玉に加算して更新する。
【０１７０】
また、データ管理部１１７ａは、遊技客によりカード返却操作が行なわれた場合に、カードＩＤ、装置ＩＤ並びに持玉数を含む持玉加算要求データをカード管理装置４０に送信して、カードデータ１６ｂの持玉数をゼロクリアした後、カード排出通知データをカード管理装置４０に送信し、カードを排出する。
【０１７１】
遊技設定処理部１１７ｂは、表示操作部１３又は表示操作部２２に対し、自装置状態データ１６ａの遊技設定に設定された現在の遊技種に対応するレートを表示するとともに、遊技客によるレートの選択を受け付ける設定がされている場合は、表示操作部１３又は表示操作部２２に対して選択可能なレートを表示する。遊技客が所望のレートを選択すると、遊技設定処理部１１７ｂは、選択されたレートに対応する遊技種により自装置状態データ１６ａの遊技設定を更新する。一方、遊技客によるレートの選択を受け付ける設定がされていない場合は、遊技中には選択可能なレートは表示されない。この場合、従業員によるリモコン操作等を受け付け、認証を行ったことを条件として、選択可能なレートが表示される。従業員がレートを選択すると、遊技設定処理部１１７ｂは、選択されたレートに対応する遊技種により自装置状態データ１６ａの遊技設定を更新する。また、この場合、カード管理装置４０等の上位装置から遊技種の選択を指示する信号があった場合には、選択可能なレートを表示することなく、指示された遊技種により自装置状態データ１６ａの遊技設定を更新する。
【０１７２】
制限設定部１１７ｃは、実施例１に示した制限設定部１７ｃと同様に、カードの使用に対する制限を設定する。また、追加受付処理部１１７ｄは、実施例１に示した追加受付処理部１７ｄと同様に、追加カードの受付を行う。ここで、封入式の遊技機１２０は、遊技可能数が０より大きい場合には、カードの排出や受付を禁止する。そのため、追加受付処理部１１７ｄが追加カードの挿入を受けて合算を行う場合には、まず、遊技可能数が０であるかを判定し、遊技可能数が０でないならば計数ボタンの操作を促し、管理移行により遊技可能数を０にした後で追加カードの受付を行うことになる。
【０１７３】
次に、遊技機１２０の内部構成について説明する。遊技機１２０は、通信制御部２４、演出制御部２５、遊技制御部２６及び遊技玉制御部２７を有する。通信制御部２４は、台間カード処理機１１０との間のデータ通信を制御するための制御部である。台間カード処理機１１０との通信は、所定の暗号方式を用いた暗号通信を用いる。
【０１７４】
通信制御部２４は、遊技機１２０の起動時に、遊技制御部２６及び／又は遊技玉制御部２７に設けられる制御ＣＰＵから識別情報を読出し、識別情報が適切かどうかを確認し、適切であれば、台間カード処理機１１０との通信を確立して待機状態となる。待機状態において、台間カード処理機１１０から動作許可を受信したならば、演出制御部２５、遊技制御部２６及び遊技玉制御部２７を起動し、遊技可能な状態とする。
【０１７５】
遊技制御部２６は、遊技機１２０による遊技を制御する制御部である。具体的には、遊技制御部２６は、ハンドル操作検出による遊技玉の遊技盤面への発射制御、遊技盤面における入賞口に入った遊技玉の検出、始動口に入った遊技玉による乱数（0〜65535の乱数値の中で、所定の範囲ごとに大当り、小当り、はずれの数値が割り当てられているもの）の取得及び抽選（特別図柄及び普通図柄）、遊技盤面に設けられる可動部材（チューリップ等）の制御、遊技盤面に設けられる特別図柄表示装置の表示制御、不正の虞がある異常（前枠が開いている、振動を検知した等）の検出及び上位装置への通知等を行う。
【０１７６】
遊技盤面には多数の障害釘が植設されており、ハンドル操作によって遊技盤面に発射された遊技玉は、障害釘の間を落下していき、入賞口、始動口に入賞するか、入賞せずに遊技盤面のアウト口から遊技盤面外に排出される。遊技玉が始動口に入賞したことにより抽選が行われ、大当りとなると、遊技盤面上の所定の入賞口を複数回開放状態に制御する大当り遊技が行われ、この入賞口への遊技玉の入賞が容易になることにより、遊技客に賞玉を付与する。
【０１７７】
また、大当りには、大当り遊技終了後、遊技客に所定の特典遊技を付与する特典付大当り遊技がある。特典付き大当り遊技には、確率変動大当りと時短大当りが含まれる。確率変動大当りと時短大当りは、それぞれ大当り後に特典遊技として確率変動遊技と時短遊技を付与するものである。時短遊技は、普通図柄抽選（上記する可動部材の開閉抽選）及び/又は特別図柄抽選（上記する遊技玉の入賞による大当り抽選）の変動時間（抽選処理を開始してから結果を表示するまでの時間）を短縮することにより、単位時間あたりの抽選回数を増大させ、単位時間あたりに大当りに当選する確率を高める特典遊技である。この特典遊技には、普通図柄の当選確率を高くする普通図柄確率変動を含んでいても良い。時短大当りによる時短遊技は、特別図柄抽選の抽選回数が大当り後所定の回数行われた場合に終了する。確率変動遊技については後述する。
【０１７８】
遊技制御部２６は、確率変動機能を有する。確率変動機能とは、抽選結果が大当りのうち、特に定められた乱数範囲になった場合に、次回抽選に用いる大当りの乱数範囲を変更する（一般的には１０倍程度にする）制御を行う機能である。確率変動遊技は、この変更された後の確率を用いて特別図柄抽選を行うものである。確率変動遊技は、次回大当り当選まで継続される。また、確率変動遊技と時短遊技を同時に付与してもよい。ただし、不測の遊技店の損害を予防するため、確率変動遊技あるいは時短遊技開始後、一定の遊技媒体を遊技客が獲得した場合は、打ち止め（一旦カードを排出し、賞品交換あるいは台移動を要求する）処理としてもよい。この場合、確率変動遊技状態になった後の遊技媒体獲得数を遊技機１２０にて計数し、この計数値が所定値になった場合に遊技玉の発射を停止する等の遊技停止制御を行うことで実現できる。
【０１７９】
演出制御部２５は、遊技中の演出を制御する制御部であり、演出図柄抽選部２５ａ及び演出抽選部２５ｂを有する。演出図柄抽選部２５ａは、遊技制御部２６での特別図柄抽選に基づく、演出図柄（遊技盤面内の表示装置等の演出図柄表示装置で表示する図柄）の抽選（具体的には表示を最終的に７，７，７で止めるかどうかなど）を行う。
【０１８０】
演出抽選部２５ｂは、演出図柄による抽選結果を表示するまでに行う演出の種類の抽選（キャラクタが出てきてリーチ演出をするなど）を行う。かかる演出は、メインの抽選結果に対して選択される演出が異なるように設定される。
【０１８１】
演出制御部２５は、各演出の演出データを記憶する。さらに、演出制御部２５は、演出図柄表示装置の表示を制御し、演出実行時には、背景図柄データに演出データを重ねて演出表示を行う。また、確率変動時には、通常状態と異なる背景色データを設定する。
【０１８２】
遊技玉制御部２７は、遊技可能数を制御する制御部である。具体的には、遊技可能数を遊技可能数メモリ２７ａに記憶させ、遊技玉を発射する度に遊技可能数を「１」減算し、入賞により付与される賞玉数を遊技可能数に加算する。また、台間カード処理機１１０より玉数を通知された場合には、通知された玉数を遊技可能数メモリ２７ａが記憶する遊技可能数に加算して、台間カード処理機１１０に対して遊技可能数に加算した旨を示す確認信号を送信する。また、遊技玉制御部２７は、遊技機１２０に封入された遊技玉（循環玉）のクリーニング制御を行うこともできる。
【０１８３】
また、遊技玉制御部２７は、遊技可能数メモリ２７ａに記憶された遊技可能数を定期的に台間カード処理機１１０に送信する。この場合には、遊技玉制御部２７は、遊技可能数メモリ２７ａの内容をゼロクリアすることなく、遊技状態によって遊技可能数の更新を継続しつつ、台間カード処理機１１０へデータ取得時点での遊技可能数の送信を行う。
【０１８４】
また、遊技機１２０には、計数ボタン２３が設けられており、この計数ボタン２３が押下されたことを示す信号が遊技玉制御部２７に入力される。遊技玉制御部２７は、計数ボタン２３の押下操作を検出し、検出信号の立ち上がりから立ち下がりまでが一定時間未満であると、一定数ずつ（例えば１回の操作あたり１００玉）の遊技可能数のデータとともに、台間カード処理機１１０に管理移行要求を送信する。そして、台間カード処理機１１０の管理に移行した分の玉数を遊技可能数から減算（無効化）する。また、計数ボタン２３の押下操作を検出し、検出信号が立ち上がってから所定時間以上立ち下がりが検出されない場合には、検出信号が立ち上がった状態が一定時間続くごとに一定数ずつ（例えば５秒あたり２００玉）の遊技可能数のデータとともに、台間カード処理機１０に管理移行要求を送信する。そして、台間カード処理機１１０の管理に移行した分の玉数を遊技可能数から減算（無効化）する。遊技可能数からの減算にあたっては、メモリに記憶した１の値から減算対象の値をディクリメントする方法や、メモリに記憶した値を減算後の値で更新し、減算前の値を削除あるいは論理削除して無効化する方法等が考えられるが、減算後の値が特定可能な状態であれば特に限定はされない。
【０１８５】
遊技制御部２６と遊技玉制御部２７とは、それぞれ個別の基板上に構成される。遊技制御部２６が構成された遊技制御基板と遊技玉制御部２７が構成された遊技玉制御基板は、それぞれ固有のＩＤを有する。遊技機２０は、遊技制御基板のＩＤと遊技玉制御基板のＩＤとを組合せ、遊技機ＩＤとして使用する。
【０１８６】
図１６は、本実施例２に係る合算の処理手順を説明するためのフローチャートである。まず、追加受付処理部１１７ｄは、合算操作ボタンに対する操作を受け付けると（ステップＳ３０１）、遊技可能数が０であるか否かを判定する（ステップＳ３０２）。
【０１８７】
判定の結果、遊技可能数が０でなければ（ステップＳ３０２；Ｎｏ）、追加受付処理部１１７ｄは、計数ボタン２３の操作を指示する表示を表示操作部１３や表示操作部２２に行わせる（ステップＳ３０３）。そして、計数ボタン２３の操作を受け付け（ステップＳ３０４）、管理移行を行うことで遊技可能数を持玉に移行させる（ステップＳ３０５）。
【０１８８】
管理移行により遊技可能数が０になった場合、もしくは遊技可能数が０であった場合（Ｓ３０２；Ｙｅｓ）、追加受付処理部１１７ｄは、追加カードの挿入を指示する表示を表示操作部１３や表示操作部２２に行わせ（ステップＳ３０６）、処理を終了する。処理の終了後、追加カードが挿入されたならば、実施例１の図６に示した処理手順と同様の処理手順により、追加カードの受付が可能である。
【０１８９】
上述してきたように、本実施例２では、実施例１と同様に、遊技玉の払出に使用可能な価値が関連付けられた記憶媒体であるカードの使用に対して制限を設定可能であり、第１の記憶媒体である内部カードの使用に対して制限を設定した状態であれば、所定の入力、すなわち内部カードのカードロック暗証番号の入力を受け付けたことを条件に第２の記憶媒体である追加カードの受付を可能とする。このため、カードの不正な使用の制限と、複数のカードの取扱の双方に対応し、カードの使用に係る利便性を向上することができる。
【０１９０】
また、カードロック暗証番号に限らず任意の入力を使用可能である点、追加カードの受付時に内部カードの価値を追加カードに移行させ、追加カードを新たな内部カードとすることができる点についても同様である。また、内部カードと追加カードの双方に暗証番号等が設定されているならば、入力すべき暗証番号等を示す報知を行いつつ、双方の入力を求める点についても同様である。さらに、内部カードと追加カードの双方にカードロック暗証番号が設定されている場合には、内部カードの価値を追加カードに移行させた後、追加カードに設定されたカードロック暗証番号を用いてカードロック設定中の状態を継続することも可能であり、カードの返却以外の操作について制限を行うよう構成することも可能である。
【０１９１】
なお、上述の実施例では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。
【０１９２】
また、上述の実施例では、価値の移行について認証情報を要求する例を示しているが、台間カード処理機１０に遊技客を撮像するカメラなどの撮像装置や、指紋認証装置などの生体認証装置を設け、撮像装置が取得した遊技客の顔に関する顔情報、指紋認証装置が取得した指紋の特徴情報などにより、同一の遊技客であることが確認されれば認証情報を要求しないこととしてもよい。また、撮像装置により、離席の有無のみを判断し、離席が確認されない場合には認証情報を要求しないよう構成することもできる。
【０１９３】
また、上述の実施例では、遊技玉を遊技媒体として使用する場合を例に説明を行なったが、スロットマシン用のメダルを用いる場合にも適用可能である。
【０１９４】
また、カードロックが解除される下限値を、カード返却を制限する最低保持個数と同じ値に設定するなど、各種設定値は任意に設定することができる。また、プリペイド残高が所定値以上であり、持玉がカードロックの解除に係る所定値未満である場合には、持玉分の遊技玉を払い出して暗証番号を求めることなくカードの合算を許可するよう構成するなど、本発明の動作は適宜変更して実施することができる。
【０１９５】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１９６】
以上のように、本発明に係る各台装置、遊技管理システム及び遊技管理方法は、記憶媒体の使用に係る利便性を向上することに適している。
【符号の説明】
【０１９７】
１０、１１０  台間カード処理機
１１  状態表示部
１２  紙幣搬送部
１２ａ  紙幣挿入口
１３、２２  表示操作部
１４  リーダライタ
１４ａ  カード挿入口
１４ｂ  かざし部
１５  通信部
１６  記憶部
１６ａ  自装置状態データ
１６ｂ  カードデータ
１６ｃ  カードロックデータ
１７、１１７  制御部
１７ａ、１１７ａ  データ管理部
１７ｂ  計数処理部
１７ｃ、１１７ｃ  制限設定部
１７ｄ、１１７ｄ  追加受付処理部
１８ａ  ノズルユニット
１８ｂ  計数ユニット
２０、１２０  遊技機
２１  ハンドル
２３  計数ボタン
２４  通信制御部
２５  演出制御部
２５ａ  演出図柄抽選部
２５ｂ  演出抽選部
２６  遊技制御部
２７  遊技玉制御部
２７ａ  遊技可能数メモリ
３０  島コントローラ
４０  カード管理装置
５０  会員管理装置
６０  賞品管理装置
８０  精算機
１１７ｂ  遊技設定処理部
１１８  遊技管理部
１１８ａ  認証処理部
１１８ｂ  認証鍵管理部
１１８ｃ  遊技機状態管理部
【図１】
2019063319.tif 000003
【図２】
2019063319.tif 000004
【図３】
2019063319.tif 000005
【図４】
2019063319.tif 000006
【図５】
2019063319.tif 000007
【図６】
2019063319.tif 000008
【図７】
2019063319.tif 000009
【図８】
2019063319.tif 000010
【図９】
2019063319.tif 000011
【図１０】
2019063319.tif 000012
【図１１】
2019063319.tif 000013
【図１２】
2019063319.tif 000014
【図１３】
2019063319.tif 000015
【図１４】
2019063319.tif 000016
【図１５】
2019063319.tif 000017
【図１６】
2019063319.tif 000018